(57)【要約】【課題】ユーザが容易に電気コードを収納したり携帯したりすることができる電気コード収納機能を有する電力センサー式充電装置を提供する。【解決手段】  電気コード収納機能を有する電力センサー式充電装置１００は、充電装置本体１０、コード巻取盤２０及び電気コード３０を備える。充電装置本体１０は、ベース１１を有する。ベース１１の側部には第１の枢着部１２が設けられる。ベース１１にはプラグ１４が取り付けられる。コード巻取盤２０は、第１の側壁２１を有する。第１の側壁２１の側部中央部には接続部が設けられる。接続部の他端には、第１の側壁２１と対をなす第２の側壁２３が形成される。第１の側壁２１と第２の側壁２３との間には、接続部に周設されたコード巻取溝２４が形成される。【選択図】図１
0003184539.tif 000002
【実用新案登録請求の範囲】
【請求項１】
充電装置本体、コード巻取盤及び電気コードを備えた電気コード収納機能を有する電力センサー式充電装置であって、
充電装置本体は、ベースを有し、ベースの側部には第１の枢着部が設けられ、ベースにはプラグが取り付けられ、ベース内には、電源変換ユニットが配置され、電源変換ユニットは、一端にプラグが電気的に接続され、他端に第１のコイルが電気的に接続され、
コード巻取盤は、第１の側壁を有し、第１の側壁の側部中央部には接続部が設けられ、接続部の他端には、第１の側壁と対をなす第２の側壁が形成され、第１の側壁と第２の側壁との間には、接続部に周設されたコード巻取溝が形成され、第１の側壁の他側には、第２の枢着部が形成され、第２の枢着部は、第１の枢着部に枢着され、充電装置本体に対してコード巻取盤を回転させることが可能であり、第１の側壁内には第２のコイルが配設され、
電気コードは、コード巻取盤が回転すると接続部に巻き付けられてコード巻取溝内に収納され、電気コードは、一端に第１のコネクタが取り付けられ、他端に第２のコイルが電気的に接続されることを特徴とする電気コード収納機能を有する電力センサー式充電装置。
【請求項２】
第１の枢着部は挿入口であり、第２の枢着部はピンであることを特徴とする請求項１に記載の電気コード収納機能を有する電力センサー式充電装置。
【請求項３】
接続部は円柱であることを特徴とする請求項１に記載の電気コード収納機能を有する電力センサー式充電装置。
【請求項４】
接続部の環状側壁には、接続ポートが形成され、接続ポートは、第２のコイルと電気的に接続され、電気コードの他端には、第２のコネクタが形成され、第２のコネクタは、接続ポートに挿着され、接続ポートを介して第２のコイルと電気的に接続されることを特徴とする請求項１に記載の電気コード収納機能を有する電力センサー式充電装置。
【請求項５】
ベース上には収納槽が形成され、収納槽内にはプラグが枢着されていることを特徴とする請求項１に記載の電気コード収納機能を有する電力センサー式充電装置。
【請求項６】
第２の側壁の外側に隣接した縁部には凹溝が形成されていることを特徴とする請求項１に記載の電気コード収納機能を有する電力センサー式充電装置。
【請求項７】
ベース上に搭載板を枢着するとともに、ベースの周側部に穿孔が形成され、２つの開口を有し、開口には、挟持部材がそれぞれ配置され、挟持部材は、スライドロッドを有し、スライドロッドは、一端が穿孔に摺設され、他端が開口から外側へ突出され、伸縮可能な挟持アームが横向きに配置されていることを特徴とする請求項１に記載の電気コード収納機能を有する電力センサー式充電装置。
【考案の詳細な説明】
【技術分野】
【０００１】
本考案は、充電装置に関するものであり、さらに詳しくは、電気コード収納機能を有する電力センサー式充電装置に関するものである。
【背景技術】
【０００２】
生活の質向上と科学技術の発展に伴い、例えば、ノート型パソコン、スマートフォン、携帯音楽プレーヤ、携帯型スピーカなどの電子製品が様々なモバイル機器の形で次々と現れている。このようにモバイル機器は現代社会において非常に重要である。一般に、上述したモバイル機器は、内蔵バッテリにより電気供給され、電力が不足すると充電装置によりバッテリの充電を行う。上述した充電装置は、通常、充電装置本体を有し、この充電装置本体には電気コードが接続されている。この電気コードの他端には、モバイル機器を接続するために用いるコネクタが接続されている。しかし、電気コードは、ユーザが便利に使用できるように長さが１〜２メートルであり、この長さでは収納及び携帯の際には、取扱いの上、不便であった。
【０００３】
特開２００８−２９０７８８号公報には、機能部から引き出された電気コードが巻き掛けられたフック列と、このフック列に巻き掛けられた電気コードの余剰部分を保持させるための保持部を備え、機能部が自走体に搭載されたバッテリーを充電する機能を有する構成を含む電気コード収納部構造が記載されている。しかし、特許文献１には、電力センサー式の充電装置については開示がない。
【特許文献１】特開２００８−２９０７８８号公報
【考案の概要】
【考案が解決しようとする課題】
【０００４】
本考案の主な課題は、ユーザが容易に電気コードを収納したり携帯したりすることができる電気コード収納機能を有する電力センサー式充電装置を提供することにある。
【課題を解決するための手段】
【０００５】
上記課題を解決するために、本考案によれば、
充電装置本体、コード巻取盤及び電気コードを備えた電気コード収納機能を有する電力センサー式充電装置であって、
充電装置本体は、ベースを有し、ベースの側部には第１の枢着部が設けられ、ベースにはプラグが取り付けられ、ベース内には、電源変換ユニットが配置され、電源変換ユニットは、一端にプラグが電気的に接続され、他端に第１のコイルが電気的に接続され、
コード巻取盤は、第１の側壁を有し、第１の側壁の側部中央部には接続部が設けられ、接続部の他端には、第１の側壁と対をなす第２の側壁が形成され、第１の側壁と第２の側壁との間には、接続部に周設されたコード巻取溝が形成され、第１の側壁の他側には、第２の枢着部が形成され、第２の枢着部は、第１の枢着部に枢着され、充電装置本体に対してコード巻取盤を回転させることが可能であり、第１の側壁内には第２のコイルが配設され、
電気コードは、コード巻取盤が回転すると接続部に巻き付けられてコード巻取溝内に収納され、電気コードは、一端に第１のコネクタが取り付けられ、他端に第２のコイルが電気的に接続されることを特徴とする電気コード収納機能を有する電力センサー式充電装置が提供される。
【０００６】
第１の枢着部は挿入口であり、第２の枢着部はピンであることが好ましい。
【０００７】
接続部は円柱であることが好ましい。
【０００８】
接続部の環状側壁には、接続ポートが形成され、接続ポートは、第２のコイルと電気的に接続され、電気コードの他端には、第２のコネクタが形成され、第２のコネクタは、接続ポートに挿着され、接続ポートを介して第２のコイルと電気的に接続されることが好ましい。
【０００９】
ベース上には収納槽が形成され、収納槽内にはプラグが枢着されていることが好ましい。
【００１０】
第２の側壁の外側に隣接した縁部には凹溝が形成されていることが好ましい。
【００１１】
ベース上に搭載板を枢着するとともに、ベースの周側部に穿孔が形成され、２つの開口を有し、開口には、挟持部材がそれぞれ配置され、挟持部材は、スライドロッドを有し、スライドロッドは、一端が穿孔に摺設され、他端が開口から外側へ突出され、伸縮可能な挟持アームが横向きに配置されていることが好ましい。
【考案の効果】
【００１２】
本考案は上記の通りの構成からなり、後述のように、電気コードの巻き取りによる収納、携帯が容易であり、モバイル機能の充電も磁力による誘導コイルを用いることができるので、充電操作も極めて簡便に行うことができる。
【図面の簡単な説明】
【００１３】
【図１】図１は、本考案の一実施形態に係る電気コード収納機能を有する電力センサー式充電装置を示す分解斜視図である。
【図２】図２は、本考案の一実施形態に係る電気コード収納機能を有する電力センサー式充電装置を示す断面図である。
【図３】図３は、本考案の一実施形態に係る電気コード収納機能を有する電力センサー式充電装置を使用するときの状態を示す模式図である。
【図４】図４は、本考案の他の実施形態に係る電気コード収納機能を有する電力センサー式充電装置を使用するときの状態を示す模式図である。
【図５】図５は、本考案の一実施形態に係る電気コード収納機能を有する電力センサー式充電装置を使用するときの状態を示す模式図である。
【図６】図６は、本考案の他の実施形態に係る電気コード収納機能を有する電力センサー式充電装置を示す斜視図である。
【図７】図７は、本考案の他の実施形態に係る電気コード収納機能を有する電力センサー式充電装置を使用するときの状態を示す模式図である。
【考案を実施するための形態】
【００１４】
以下、本考案の実施形態について図面に基づいて説明する。なお、これによって本考案が限定されるものではない。
【００１５】
まず、図１及び図２を参照する。図１は、本考案の一実施形態に係る電気コード収納機能を有する電力センサー式充電装置を示す分解斜視図である。図２は、本考案の一実施形態に係る電気コード収納機能を有する電力センサー式充電装置を示す断面図である。図１及び図２に示すように、本考案の一実施形態に係る電気コード収納機能を有する電力センサー式充電装置は、少なくとも充電装置本体１０、コード巻取盤２０及び電気コード３０から構成される。
【００１６】
充電装置本体１０は、ベース１１を有する。ベース１１の側部には第１の枢着部１２が設けられる。第１の枢着部１２は挿入口である。ベース１１には収納槽１３が形成される。収納槽１３内にはプラグ１４が枢着され、プラグ１４は反転自在に収納槽１３に収納または反転されてベース１１から外側に露出してもよい。ベース１１内には、電源変換ユニット１５が配置されている。電源変換ユニット１５は、一端にプラグ１４が電気的に接続され、他端に第１のコイル１６が電気的に接続されている。
【００１７】
コード巻取盤２０は、第１の側壁２１を有する。第１の側壁２１の側部中央部には接続部２２が突設されている。接続部２２の他端には、第１の側壁２１と対をなす第２の側壁２３が形成されている。第１の側壁２１と第２の側壁２３との間には、接続部２２に周設されたコード巻取溝２４が形成されている。本実施形態の接続部２２は、円柱である。第１の側壁２１の他側には、第２の枢着部２５が形成されている。第２の枢着部２５は、第１の枢着部１２に枢着され、充電装置本体１０に対してコード巻取盤２０を回転させることが可能である。本実施形態の第２の枢着部２５は、ピンである。第１の側壁２１内には第２のコイル２６が配設されるとともに、接続部２２の環状側壁に接続ポート２７が形成される。接続ポート２７は、第２のコイル２６と電気的に接続される上、第２の側壁２３の外側に隣接した縁部には凹溝２８が形成される。
【００１８】
電気コード３０は、コード巻取盤２０が回転すると接続部２２に巻き付けられ、コード巻取溝２４内に収納される。電気コード３０は、一端に第１のコネクタ３１が取り付けられ、他端に第２のコイル２６が電気的に接続される。本実施形態の電気コード３０の他端には、第２のコネクタ３２が取り付けられる。第２のコネクタ３２は、接続ポート２７に挿着され、接続ポート２７を介して第２のコイル２６と電気的に接続される。
【００１９】
図３を併せて参照する。図３は、本考案の一実施形態に係る電気コード収納機能を有する電力センサー式充電装置を使用するときの状態を示す模式図である。図３に示すように、本考案の一実施形態に係る電力センサ式充電装置１００を実際に使用する際、収納槽１３内でプラグ１４を回転させてベース１１から露出させた後、プラグ１４を外部プラグ受け２００に接続してからコード巻取盤２０を回転させて電気コード３０を繰り出し、第１のコネクタ３１をモバイル機器３００に接続し、電力センサ式充電装置１００を外部プラグ受け２００とモバイル機器３００との間に接続し、外部プラグ受け２００により電力供給を行う。また、電源変換ユニット１５によりモバイル機器３００の規格に準拠した電源へ変換して第１のコイル１６へ供給し、第１のコイル１６により電力を磁力へ変換するとともに、コード巻取盤２０上の第２のコイル２６がファラデーの電磁誘導の法則により、受けた磁力から電気を発生させ、接続ポート２７を介して電気を電気コード３０へ伝送し、電気コード３０を介して電気をモバイル機器３００へ伝送してモバイル機器３００の充電を行う。
【００２０】
図４を参照する。図４は、本考案の他の実施形態に係る電気コード収納機能を有する電力センサー式充電装置を使用するときの状態を示す模式図である。図４に示すように、モバイル機器３００は、誘導コイル３０１を有し、ユーザが充電装置本体１０からコード巻取盤２０を外してプラグ１４を外部プラグ受け２００に接続した後に、モバイル機器３００を充電装置本体１０上に設置すると、第１のコイル１６の磁力により誘導コイル３０１が電気を発生させてモバイル機器３００の充電を行う。
【００２１】
図５を参照する。図５は、本考案の一実施形態に係る電気コード収納機能を有する電力センサー式充電装置を使用するときの状態を示す模式図である。図５に示すように、本考案の一実施形態に係る電力センサー式充電装置のモバイル機器３００をユーザが充電した後、プラグ１４を外部プラグ受け２００から外して回転させると、プラグ１４が収納槽１３内に収納され、その後、第１のコネクタ３１をモバイル機器３００から取り外し、凹溝２８を利用してコード巻取盤２０を回転させると、コード巻取盤２０の回転により接続部２２に電気コード３０が巻き付けられてコード巻取溝２４内に収納される。そのためユーザは、容易に電気コード３０を収納して携帯することができる。
【００２２】
ここで電気は第１のコイル１６及び第２のコイル２６の電磁誘導方式を利用して充電装置本体１０からコード巻取盤２０へ無線方式により伝送することができるため、充電装置本体１０とコード巻取盤２０との間に設置する電力伝送部材（例えば、金属ピンなど）を省略することができる。
【００２３】
ここで電気コード３０は、第２のコネクタ３２を介して接続ポート２７に接続され、第２のコイル２６と電気的に接続されるため、ユーザはコード巻取盤２０から電気コード３０を容易に外すことができる上、異なる充電規格を有する第１のコネクタ３１の電気コード３０を交換することができる。
【００２４】
また本実施形態は、第１の枢着部１２と第２の枢着部２５との間に設けられた渦巻ばね（図示せず）により、電気ケーブルを自動的に巻き取ることができる。
【００２５】
図６及び図７を参照する。図６は、本考案の他の実施形態に係る電気コード収納機能を有する電力センサー式充電装置を示す斜視図である。図７は、本考案の他の実施形態に係る電気コード収納機能を有する電力センサー式充電装置を使用するときの状態を示す模式図である。図６及び図７に示すように、一般に外部プラグ受け２００が壁上に配設されているため、ユーザが充電装置本体１０を利用し、誘導コイル３０１を有するモバイル機器３００を無線方式での充電を行う場合、充電装置本体１０をプラットフォーム上に平らに配設し、外部プラグ受け２００と充電装置本体１０とを延長線で接続することは、使用が非常に不便である。そのため、電気コード収納機能を有する電力センサ式充電装置１００は、従来技術と異なり、ベース１１上に搭載板１７を枢着するとともに、ベース１１の周側部に穿孔１８が形成され、２つの開口１８１を有する。開口１８１には、挟持部材１９がそれぞれ配置される。挟持部材１９は、スライドロッド１９１を有する。スライドロッド１９１は、一端が穿孔１８に摺設され、他端が開口１８１から外側へ突出され、伸縮可能な挟持アーム１９２が横向きに配置されている。そのため搭載板１７及び挟持部材１９により、充電装置本体１０にモバイル機器３００を挟持して固定し、壁に配設された外部プラグ受け２００に充電装置本体１０を直接挿設するだけで、ユーザは簡単に使用することができる。
【００２６】
以上、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００２７】
１０  充電装置本体
１１  ベース
１２  第１の枢着部
１３  収納槽
１４  プラグ
１５  電源変換ユニット
１６  第１のコイル
１７  搭載板
１８  穿孔
１９  挟持部材
２０  コード巻取盤
２１  第１の側壁
２２  接続部
２３  第２の側壁
２４  コード巻取溝
２５  第２の枢着部
２６  第２のコイル
２７  接続ポート
２８  凹溝
３０  電気コード
３１  第１のコネクタ
３２  第２のコネクタ
１００  電力センサ式充電装置
１８１  開口
１９１  スライドロッド
１９２  挟持アーム
２００  外部プラグ受け
３００  モバイル機器
３０１  誘導コイル
【図１】
0003184539.tif 000003
【図２】
0003184539.tif 000004
【図３】
0003184539.tif 000005
【図４】
0003184539.tif 000006
【図５】
0003184539.tif 000007
【図６】
0003184539.tif 000008
【図７】
0003184539.tif 000009